(57)【要約】    【課題】  コンビニエンスストアと同一店舗内に喫煙可能な休憩スペースを設置できるようにする。    【解決手段】  屋外に給油スペース１０が設けられたサービスステーションの店舗３０内に、コンビニエンスストア３２及び喫煙可能な休憩スペース３４を区画して設けると共に、コンビニエンスストア３２を臨む店舗３０の周壁に、店舗３０への出入口となるドア３６を設ける。また、休憩スペース３４に、喫煙による紫煙を強制的に屋外へと排出する換気扇３８を設ける。このようにすれば、休憩スペース３４における紫煙の拡散を防止しつつ、その濃度が大幅に低下するので、紫煙がコンビニエンスストア３２へと流れていくことが抑制され、コンビニエンスストア３２と同一店舗内に喫煙可能な休憩スペース３４を設置することができる。【選択図】  図１
2005036536.tif 000002
【特許請求の範囲】
【請求項１】
屋外に給油スペースが設けられたサービスステーションの店舗内に、コンビニエンスストア及び喫煙可能な休憩スペースを区画して設けると共に、該コンビニエンスストアを臨む店舗周壁に、前記店舗への出入口を設ける一方、前記休憩スペースに、紫煙を強制的に排出する排出装置を設けたことを特徴とする複合サービスステーション。
【請求項２】
前記休憩スペースとコンビニエンスストアとの境界に、前記店舗の天井から略鉛直下方に延びる垂れ壁を設けたことを特徴とする請求項１記載の複合サービスステーション。
【請求項３】
前記休憩スペースに、喫煙席と禁煙席とを区画して設けると共に、前記喫煙席と禁煙席との境界に、前記店舗の天井から略鉛直下方に延びる垂れ壁を設けたことを特徴とする請求項１又は請求項２に記載の複合サービスステーション。
【請求項４】
前記喫煙席に、空気清浄機を設けたことを特徴とする請求項３記載の複合サービスステーション。
【請求項５】
前記休憩スペースは、前記コンビニエンスストアのレジスペースから見渡せる位置に設けられたことを特徴とする請求項１〜請求項４のいずれか１つに記載の複合サービスステーション。
【請求項６】
前記店舗の周壁に、前記休憩スペースに直接出入可能な出入口を設けたことを特徴とする請求項１〜請求項５のいずれか１つに記載の複合サービスステーション。
【発明の詳細な説明】
【技術分野】
【０００１】
本発明は、コンビニエンスストアを併設する複合サービスステーションにおいて、コンビニエンスストアと同一店舗内に喫煙可能な休憩スペースを設置できるようにする技術に関する。
【背景技術】
【０００２】
近年、特許文献１に記載されるように、ガソリン，軽油などの燃料を給油するサービスステーションに、コンビニエンスストアを併設した複合サービスステーションが多々見受けられるようになってきた。複合サービスステーションは、自動車に燃料を給油するついでに、コンビニエンスストアで食料品などを購入できるため、現代に適合したサービス形態であることから、今後益々増加する傾向にある。
【特許文献１】特許第２７８３７６８号公報
【発明の開示】
【発明が解決しようとする課題】
【０００３】
ところで、従来のサービスステーションでは、運転者の安全運転に寄与することを目的として、店舗内に喫煙可能な休憩スペースが設けられていることが多い。一方、コンビニエンスストアでは、食料品などを扱う関係上異臭を嫌うため、店舗内での喫煙が禁止されることが常であり、店舗外に喫煙スペースが設けられている。
【０００４】
しかしながら、複合サービスステーションにおいては、運転者の安全運転に寄与すべく、店舗内に喫煙可能な休憩スペースを設置すると、紫煙がコンビニエンスストアへと流れていき、来客に対して好ましくない印象を与えてしまうおそれがあった。また、コンビニエンスストアの店舗外に喫煙スペースを設けると、喫煙により燃料ベーパに引火するおそれがあるので、安全性の観点からこのような構成を採用することはできなかった。このため、従来技術を単に適用しただけでは、コンビニエンスストアと同一店舗内に、喫煙可能な休憩スペースを設けることはできなかった。
【０００５】
そこで、本発明は以上のような従来の問題点に鑑み、コンビニエンスストアを臨む位置に出入口を設けると共に、紫煙を強制的に排出する排出装置を休憩スペースに設けることで、コンビニエンスストアと同一店舗内に喫煙可能な休憩スペースを設置できるようにした複合サービスステーションを提供することを目的とする。
【課題を解決するための手段】
【０００６】
このため、請求項１記載の発明では、屋外に給油スペースが設けられたサービスステーションの店舗内に、コンビニエンスストア及び喫煙可能な休憩スペースを区画して設けると共に、該コンビニエンスストアを臨む店舗周壁に、前記店舗への出入口を設ける一方、前記休憩スペースに、紫煙を強制的に排出する排出装置を設けたことを特徴とする。
【０００７】
かかる構成によれば、店舗への出入口がコンビニエンスストア側に設けられているため、出入口の開閉により空気の流れが発生しても、休憩スペースの紫煙が拡散されることが防止される。また、休憩スペースにおける紫煙は、そこに設けられている排出装置により強制的に排出される。このため、休憩スペースにおける紫煙は、拡散されずに屋外へと排出されるので、その紫煙濃度が大幅に低下することから、コンビニエンスストアへと流れていくことが抑制され、その来客に対して好ましくない印象を与えることが防止できる。さらに、給油を行わずにコンビニエンスストアで買い物をしたい者であっても、複合サービスステーションを気軽に利用するようになり、集客率を高めることが可能となる。
【０００８】
請求項２記載の発明では、前記休憩スペースとコンビニエンスストアとの境界に、前記店舗の天井から略鉛直下方に延びる垂れ壁を設けたことを特徴とする。
【０００９】
かかる構成によれば、紫煙が天井へと上昇してコンビニエンスストアへと移動しようとしても、休憩スペースとコンビニエンスストアとの境界に設けられた垂れ壁によりその移動が阻止される。このため、休憩スペースで発生した紫煙が店舗内へと拡散することが防止され、コンビニエンスストアへと流れていく紫煙が一層低減される。
【００１０】
請求項３記載の発明では、前記休憩スペースに、喫煙席と禁煙席とを区画して設けると共に、前記喫煙席と禁煙席との境界に、前記店舗の天井から略鉛直下方に延びる垂れ壁を設けたことを特徴とする。
【００１１】
かかる構成によれば、喫煙席で発生した紫煙が天井へと上昇して禁煙席へと移動しようとしても、喫煙席と禁煙席との境界に設けられた垂れ壁によりその移動が阻止される。このため、禁煙席と喫煙席との分煙化が図られ、禁煙席にいる来客が「くさい」，「けむい」などと感じることがなく、紫煙を嫌う子供などがいても、休憩スペースを利用することが可能となる。
【００１２】
請求項４記載の発明では、前記喫煙席に、空気清浄機を設けたことを特徴とする。
【００１３】
かかる構成によれば、喫煙席に設けられた空気清浄機により、喫煙場所周囲での紫煙がある程度浄化されるので、禁煙席と喫煙席との分煙化をより推し進めることが可能となる。
【００１４】
請求項５記載の発明では、前記休憩スペースは、前記コンビニエンスストアのレジスペースから見渡せる位置に設けられたことを特徴とする。
【００１５】
かかる構成によれば、コンビニエンスストアの従業員は、給油代金及び商品代金の精算を行いつつ、休憩スペースの状態を監視することが可能となる。そして、休憩スペースが汚れていることに気が付いたときに清掃することで、休憩スペースを清潔に保つことができ、休憩スペースの利用客に対して「きたない」などの好ましくない印象を与えることを防止できる。
【００１６】
請求項６記載の発明では、前記店舗の周壁に、前記休憩スペースに直接出入可能な出入口を設けたことを特徴とする。
【００１７】
かかる構成によれば、コンビニエンスストアを通過せずに休憩スペースを利用できるため、来客の流線を効率的に分けることが可能となる。
【発明の効果】
【００１８】
以上説明したように、請求項１記載の発明によれば、休憩スペースにおける紫煙は、拡散されずに屋外へと排出されるので、その紫煙濃度が大幅に低下することから、コンビニエンスストアへと流れていくことが抑制される。このため、来客に対して好ましくない印象を与えるおそれがなく、コンビニエンスストアと同一店舗内に喫煙可能な休憩スペースを設けることができる。また、給油を行わずにコンビニエンスストアで買い物をしたい者であっても、複合サービスステーションを気軽に利用するようになり、集客率を高めることもできる。
【００１９】
請求項２記載の発明によれば、休憩スペースで発生した紫煙が店舗内へと拡散することが防止され、コンビニエンスストアへと流れていく紫煙を一層低減することができる。
【００２０】
請求項３記載の発明によれば、禁煙席と喫煙席との分煙化が図られ、禁煙席にいる来客が「くさい」，「けむい」などと感じることがなく、紫煙を嫌う子供などがいても、休憩スペースを利用することができる。
【００２１】
請求項４記載の発明によれば、禁煙席と喫煙席との分煙化をより推し進めることができる。
【００２２】
請求項５記載の発明によれば、コンビニエンスストアの従業員は、給油代金及び商品代金の精算を行いつつ休憩スペースの状態を監視することができる。そして、休憩スペースが汚れていることに気が付いたときに清掃することで、休憩スペースを清潔に保つことができる。
【００２３】
請求項６記載の発明によれば、コンビニエンスストアを通過せずに休憩スペースを利用可能であることから、来客の流線を効率的に分けることができる。
【発明を実施するための最良の形態】
【００２４】
以下、添付された図面を参照して本発明を詳述する。
【００２５】
図１は、本発明に係る複合サービスステーションの全体構成を示す。
【００２６】
複合サービスステーションは、ガソリン及び軽油などの燃料を給油する給油スペース１０と、事務所としての機能を兼備する店舗３０と、来客用の駐車スペース５０と、を含んで構成される。なお、給油スペース１０における給油方式は、近年増加している来客自らが給油する「セルフ方式」であってもよい。
【００２７】
店舗３０の内部には、主に食料品などをセルフ方式で販売するコンビニエンスストア３２と、喫煙可能な休憩スペース３４と、が区画して設けられる。また、コンビニエンスストア３２を臨む店舗３０の周壁には、店舗３０への出入口となるドア３６が設けられる。さらに、休憩スペース３４には、喫煙による紫煙を強制的に屋外へと排出する換気扇３８（排出装置）が設けられる。そして、コンビニエンスストア３２と休憩スペース３４との境界には、店舗３０の天井から略鉛直下方に延びる垂れ壁４０が設けられる。なお、休憩スペース３４は、図示するように、コンビニエンスストア３２のレジスペース３２Ａから、その略全体が見渡すことが可能な位置に設けることが望ましい。
【００２８】
かかる構成によれば、ドア３６がコンビニエンスストア３２側に設けられているので、ドア３６の開閉により空気の流れが発生しても、休憩スペース３４の紫煙が拡散されることが防止される。また、休憩スペース３４には換気扇３８が設けられているので、その区域においては、換気扇３８へと向かう空気の流れが発生している。そして、休憩スペース３４で発生した紫煙は、その空気の流れに乗って、換気扇３８を経て屋外へと強制的に排出される。
【００２９】
このため、休憩スペース３４における紫煙は、拡散されずに屋外へと排出されるので、その紫煙濃度が大幅に低下することから、コンビニエンスストア３２へと流れていくことが抑制される。従って、コンビニエンスストア３２では、紫煙のにおいが極めて弱くなることから、来客に対して好ましくない印象を与えるおそれがなく、コンビニエンスストア３２と同一店舗内に、喫煙可能な休憩スペース３４を設けることができる。
【００３０】
また、給油を行わずにコンビニエンスストア３２で買い物をしたい者であっても、複合サービスステーションを気軽に利用するようになり、集客率を高めることが可能となる。
【００３１】
さらに、コンビニエンスストア３２と休憩スペース３４との境界に垂れ壁４０が設けられているため、次のような作用及び効果もある。即ち、休憩スペース３４において、天井まで上昇した紫煙は、換気扇３８により屋外へと排出されるまでの間、その一部が天井に沿ってコンビニエンスストア３２へと移動しようとする。しかし、コンビニエンスストア３２と休憩スペース３４との境界に垂れ壁４０があることから、これが「堰」として機能して紫煙の流れが堰き止められ、コンビニエンスストア３２への紫煙の移動を阻止することができる。
【００３２】
その他、休憩スペース３４は、コンビニエンスストア３２のレジスペース３２Ａから、その略全体が見渡せる位置に設けられていれば、従業員は、給油代金及び商品代金の精算を行いつつ、休憩スペース３４の状態を監視することが可能となる。そして、休憩スペース３４が汚れていることに気が付いたときに清掃することで、休憩スペース３４を清潔に保つことができ、その利用者に対して「きたない」などの好ましくない印象を与えることを防止できる。利用者に対してこのような悪印象を与えなければ、休憩スペース３４で飲食や喫煙が可能であることから、複合サービスステーションを再度利用しようという気持ちが芽生え、固定客を効果的に獲得することができる。
【００３３】
一方、休憩スペース３４には、喫煙を好まない来客があることを踏まえ、図２に示すように、禁煙席３４Ａと喫煙席３４Ｂとが区画して設けられる。そして、禁煙席３４Ａと喫煙席３４Ｂとの境界には、店舗３０の天井から略鉛直下方に延びる垂れ壁４２が設けられる。さらに、喫煙席３４Ｂにおける紫煙は、来客の流れなどにより発生した空気の流れに乗って禁煙席３４Ａに流れていく可能性があるので、その卓上には空気清浄機４４が設置される。
【００３４】
かかる構成によれば、喫煙席３４Ｂで発生した紫煙が天井へと上昇して禁煙席３４Ａへと移動しようとしても、これらの境界に垂れ壁４２が設けられているため、これが「堰」として機能して紫煙の流れが堰き止められ、禁煙席３４Ａへの紫煙の移動を阻止することができる。このため、禁煙席３４Ａと喫煙席３４Ｂとの間で分煙化が図られ、禁煙席３４Ａにいる来客が「くさい」，「けむい」などと感じることがなく、紫煙を嫌う子供などがいても、休憩スペース３４を利用することができる。
【００３５】
また、喫煙席３４Ｂで発生した紫煙は、空気の流れに乗って禁煙席３４Ａへと若干流れていく可能性があることは否めない。しかし、喫煙席３４Ｂの卓上に空気清浄機４４が設置されていれば、喫煙場所周囲での紫煙がある程度浄化されるので、禁煙席３４Ａと喫煙席３４Ｂとの間の分煙化をさらに推し進めることができる。
【００３６】
ところで、セルフ方式の給油形態を採用したときには、来客自らが給油を行うため、その手などに燃料が付着することがある。そこで、店舗３０の屋外であってドア３６の近傍などの場所に、手洗い装置を適宜取り付けることで、手などに付着した燃料を洗い落とすことが可能となる。
【００３７】
なお、店舗３０への出入口となるドア３６は、コンビニエンスストア３２を臨む位置だけではなく、休憩スペース３４に直接出入可能な位置にも併せて設けるようにしてもよい。このようにすれば、コンビニエンスストア３２を通過せずに休憩スペース３４が利用可能となることから、来客の流線を効率的に分けることができる。
【図面の簡単な説明】
【００３８】
【図１】本発明に係る複合サービスステーションの全体構成図
【図２】同上における休憩スペースの詳細図
【符号の説明】
【００３９】
１０    給油スペース
３０    店舗
３２    コンビニエンスストア
３２Ａ  レジスペース
３４    休憩スペース
３４Ａ  禁煙席
３４Ｂ  喫煙席
３６    ドア
３８    換気扇
４０    垂れ壁
４２    垂れ壁
４４    空気清浄機
【図１】
2005036536.tif 000003
【図２】
2005036536.tif 000004